(57)【要約】【課題】  接続作業が容易に行えると共に誤接続を防止できる密閉ケース用の電源接続具を提供する。【解決手段】  ケース１に設けられたハーメチックタクト６に、外部電源を接続するための電源接続具であって、上記ケース１に装着され、上記ハーメチックタクト６に接続された端子８を有するケース側コネクタ２と、上記外部電源に接続された電源ケーブル３に装着され、上記端子８に接続される端子２１を有する電源側コネクタ４とを備え、この電源側コネクタ４を上記ケース側コネクタ２に嵌合させて各コネクタ２、４の端子同士８、２１を接続し、外部電源をハーメチックタクト６に接続するものである。【選択図】      図１
2005327557.tif 000002
【特許請求の範囲】
【請求項１】
ケースに設けられたハーメチックタクトに、外部電源を接続するための電源接続具であって、上記ケースに装着され、上記ハーメチックタクトに接続された端子を有するケース側コネクタと、上記外部電源に接続された電源ケーブルに装着され、上記端子に接続される端子を有する電源側コネクタとを備え、この電源側コネクタを上記ケース側コネクタに嵌合させて各コネクタの端子同士を接続し、外部電源をハーメチックタクトに接続することを特徴とするケース用の電源接続具。
【請求項２】
上記ケース側コネクタ及び電源側コネクタは、これらコネクタ同士を嵌合させたとき、所定の端子同士を接続すべく、コネクタ同士の相対的な嵌合角度を定める誤接続防止構造を備えた請求項１記載のケース用の電源接続具。
【請求項３】
上記ケース側コネクタ及び電源側コネクタは、それぞれ金属製の筐体を備え、これらの筐体は、上記コネクタ同士を嵌合させたとき互いに接触し、その内部を電気的にシールドするものである請求項１又は２記載のケース用の電源接続具。
【請求項４】
上記ケース側コネクタは、当該コネクタの端子を外力から防護すべくこの端子を内包するコネクタ本体を備え、上記電源側コネクタは、当該コネクタの端子を外力から防護すべくこの端子を内包するコネクタ本体を備えた請求項１〜３記載のケース用の電源接続具。
【請求項５】
上記ケース側コネクタと電源側コネクタとの間に、水、油又は塵芥等の浸入を防止すべく環状に形成されたシール部材を設けた請求項１〜４記載のケース用の電源接続具。
【発明の詳細な説明】
【技術分野】
【０００１】
本発明は、空気調和機等に用いられる電動圧縮機等のケース内に収容された電動機に、外部電源をシールしつつ接続するためのケース用の電源接続具に関する。
【背景技術】
【０００２】
電動圧縮機のケース内に収容された電動機とケース外の外部電源とを接続する構造として、特許文献１に記載されたものが知られている。
【０００３】
図６を用いてこの構造を説明すると、電動機を収容するケースの上蓋ｋには、ハーメチックシールｓを介してハーメチックタクトｔ１、ｔ２、ｔ３が取り付けられており、各ハーメチックタクトｔ１、ｔ２、ｔ３には、異なる形状の接続用の端子Ｔ１、Ｔ２、Ｔ３がスポット溶接されている。
【０００４】
この構造によれば、上記端子Ｔ１、Ｔ２、Ｔ３を外部電源に接続された接続線と接続する際に、各端子Ｔ１、Ｔ２、Ｔ３をその形状の違いに基づいて区別できるので、所定の端子に所定の接続線を誤りなく接続できる。
【０００５】
【特許文献１】特開平７−２４５９０５号公報
【発明の開示】
【発明が解決しようとする課題】
【０００６】
しかし、従来の電源接続構造においては、形状の異なる端子Ｔ１、Ｔ２、Ｔ３を複数用意する必要があるため、部品点数が多くなる。また、接続作業も各端子Ｔ１、Ｔ２、Ｔ３について夫々行う必要があるため、作業工数が増加する。
【０００７】
また、接続用の端子Ｔ１、Ｔ２、Ｔ３と電源側の接続線とが剥き出しとなって接続されているため、電源ケーブルに電流を流すことにより、剥き出しとなった部分からノイズが拡散してしまう。
【０００８】
また、圧縮機の組立作業中、又は端子Ｔ１、Ｔ２、Ｔ３と接続線との接続作業中に、剥き出しとなっている端子に誤って外力が加わり、端子が変形したり破損する可能性がある。
【０００９】
以上の事情を考慮して創案された本発明の目的は、接続作業が容易に行えると共に誤接続を防止できるケース用の電源接続具を提供することにある。
【課題を解決するための手段】
【００１０】
上記課題を解決するために創案された請求項１に係る発明は、ケースに設けられたハーメチックタクトに、外部電源を接続するための電源接続具であって、上記ケースに装着され、上記ハーメチックタクトに接続された端子を有するケース側コネクタと、上記外部電源に接続された電源ケーブルに装着され、上記端子に接続される端子を有する電源側コネクタとを備え、この電源側コネクタを上記ケース側コネクタに嵌合させて各コネクタの端子同士を接続し、外部電源をハーメチックタクトに接続するものである。
【００１１】
請求項２に係る発明は、上記ケース側コネクタ及び電源側コネクタは、これらコネクタ同士を嵌合させたとき、所定の端子同士を接続すべく、コネクタ同士の相対的な嵌合角度を定める誤接続防止構造を備えたものである。
【００１２】
請求項３に係る発明は、上記ケース側コネクタ及び電源側コネクタは、それぞれ金属製の筐体を備え、これらの筐体は、上記コネクタ同士を嵌合させたとき互いに接触し、その内部を電気的にシールドするものである。
【００１３】
請求項４に係る発明は、上記ケース側コネクタは、当該コネクタの端子を外力から防護すべくこの端子を内包するコネクタ本体を備え、上記電源側コネクタは、当該コネクタの端子を外力から防護すべくこの端子を内包するコネクタ本体を備えたものである。
【００１４】
請求項５に係る発明は、上記ケース側コネクタと電源側コネクタとの間に、水、油又は塵芥等の浸入を防止すべく環状に形成されたシール部材を設けたものである。
【発明の効果】
【００１５】
本発明によれば、次のような効果を発揮できる。
（１）請求項１に係る発明によれば、ケース側コネクタに電源側コネクタを嵌合させることで、外部電源を適切に容易に接続することができる。すなわち、接続用の各端子が予め双方のコネクタにセットされているので、コネクタ同士を嵌合させることで、短時間で誤接続なく外部電源を接続でき、各端子を別々に接続する手間が省ける。
（２）請求項２に係る発明によれば、誤接続防止構造によってコネクタ同士の相対的な嵌合角度が定められるので、誤接続を完全に防止できる。
（３）請求項３に係る発明によれば、コネクタ同士を嵌合させることで、金属製の筐体によって各端子が覆われるため、シールド効果が得られる。
（４）請求項４に係る発明によれば、各コネクタ本体が各端子を内包するように形成されているので、端子に直接外力が加わることを防止でき、端子の変形・破損を防止できる。
（５）請求項５に係る発明によれば、外部からコネクタ同士の間を通って内部に浸入しようとする水、油又は塵芥をシールできる。
【発明を実施するための最良の形態】
【００１６】
本発明の好適実施形態を添付図面に基づいて説明する。
【００１７】
図１に示すように、本実施形態に係るケース用の電源接続具は、電動圧縮機（例えば、密閉電動圧縮機）を構成するケース（例えば、密閉ケース）の上蓋１に装着されたケース側コネクタ２と、外部電源に接続された電源ケーブル３に装着された電源側コネクタ４とを備えている。
【００１８】
先ず、ケース側コネクタ２について説明する。
【００１９】
図１に示すように、ケースの上蓋１には、ハーメチックプレート５が取り付けられており、このハーメチックプレート５には、図２（ｂ）に示すように、ケース内の電動機に給電すべく当該プレート５を貫通して形成された三本のハーメチックタクト６が、ガラスシール７を介して絶縁されて取り付けられている。なお、ハーメチックプレート５は、導電性金属（以下金属という）からなっており、上蓋１及びケースも金属からなっている。
【００２０】
各ハーメチックタクト６の上端部には、タブ端子（オス端子）８を圧着したリード線９が、溶接によって接続されている。ハーメチックタクト６とリード線９との溶接箇所には、これを覆うように筒状に形成された絶縁体１０が設けられており、各ハーメチックタクト６間のショートが防止されている。
【００２１】
上記タブ端子８は、ケース側コネクタ２の主要部を構成するケース側コネクタ本体１１にセットされる。ケース側コネクタ本体１１は、樹脂から形成され、各タブ端子８を絶縁して所定位置に所定向きにセットするものである。このケース側コネクタ本体１１は、セットされるタブ端子８を外力から防護すべく、タブ端子８を内包するように形成されている。
【００２２】
なお、各タブ端子８はケース側コネクタ本体１１に装着されて相互の相対位置が定められるところ、各ハーメチックタクト６は、ハーメチックプレート５にガラスシール７を介して装着されるとき、精度的に最適位置に装着できず多少ずれることがある。この場合、タブ端子８とハーメチックタクト６とを繋ぐリード線９が適宜曲がることで、そのずれを吸収できる。
【００２３】
上記ケース側コネクタ本体１１は、図例では、オス型コネクタから構成され、各タブ端子８の根元部を支持するベース部１１ａと、ベース部１１ａに積み重ねて一体的に形成された筒状のソケット部１１ｂとを備えている。このソケット部１１ｂの内方には、各タブ端子８の先端部がベース部１１ａから突出した状態で収容されている。
【００２４】
かかるコネクタ本体１１を備えたケース側コネクタ２は、コネクタ本体１１の側部を囲むように筒状に形成された金属製のケース側金属筐体１２を有する。このケース側金属筐体１２は、その内部に上記コネクタ本体１１を収容し、後述する電源側金属筐体１３と共同して内部を電気的にシールドするものである。
【００２５】
金属筐体１２とコネクタ本体１１との間には、抜止機構１４が介設されている。抜止機構１４は、金属筐体１２の内周面に形成された段差部１４ａと、コネクタ本体１１の側部に形成された爪部１４ｂとからなり、爪部１４ｂが段差部１４ａに係合することで、コネクタ本体１１が金属筐体１２から上方へ抜けることを防止する。
【００２６】
上記金属筐体１２は、図１に示すように、ハーメチックプレート５を介し、ボルト１５によって密閉ケースの上蓋１に取り付けられている。ここで、これらの部品は全て金属製であるため、金属筐体１２、ハーメチックプレート５、上蓋１及び密閉ケースが電気的に接続され、これらが共同してその内方を電気的にシールドすることになる。
【００２７】
金属筐体１２の下部開口部１２ａには、図２（ｂ）に示すように、ハーメチックタクト６を全て囲むようにリング状に形成されたシール部材（Ｏリング）１６が取り付けられている。このシール部材１６は、金属筐体１２をハーメチックプレート５の上面に載置して上記ボルト１５を締め込んだとき、プレート５の上面に押し付けられ、金属筐体１２とプレート５との間をシールし、水、油又は塵芥の浸入を防止する。
【００２８】
また、金属筐体１２の上部開口部１２ｂにも、コネクタ本体１１を囲むようにリング状に形成されたシール部材（Ｏリング）１７が取り付けられている。このシール部材１７は、ケース側コネクタ２に後に詳述する電源側コネクタ４を嵌合させたとき、電源側コネクタ４に押し付けられ、外部からコネクタ２、４同士の間を通って内部に浸入しようとする水、油又は塵芥をシールするものである。
【００２９】
次に、電源側コネクタ４について説明する。
【００３０】
この電源側コネクタ４は、図１に示すように、外部電源に接続された給電ケーブル３に装着され、上記ケース側コネクタ２に嵌合されるものである。
【００３１】
図３（ａ）に示すように、給電ケーブル３は、それぞれ絶縁用の被覆層を有する三本の信号線１８と、これら信号線１８を囲繞するように筒状に形成されたシールド編組（シールド線）１９と、シールド編組１９の外周部を覆う外皮２０とを備え、所謂シールドケーブルが用いられている。
【００３２】
かかる給電ケーブル３は、その先端側の外皮２０が所定長さ切除され、筒状のシールド編組１９が所定長さ反転され、信号線１８が露出され、信号線１８の先端部の被覆層が除去されている。被覆層が除去された信号線１８の先端部には、上記タブ端子８に接続されるリセプタクル端子（メス型端子）２１が、それぞれ圧着や溶接等によって取り付けられている。
【００３３】
各リセプタクル端子２１は、電源側コネクタ４の主要部を構成する電源側コネクタ本体２２にセットされる。電源側コネクタ本体２２は、図３（ａ）及び図３（ｂ）に示すように、樹脂から形成され、各リセプタクル端子２２を絶縁して所定位置に所定向きでセットするものである。この電源側コネクタ本体２２は、セットされるリセプタクル端子２１を外力から防護すべく、リセプタクル端子２１を内包するように形成されている。
【００３４】
この電源側コネクタ本体２２は、メス型コネクタから構成され、上記ケース側コネクタ本体（オス型コネクタ）１１のソケット部１１ｂの内側に挿入されて嵌合される。このとき、電源側コネクタ本体２２は、ケース側コネクタ本体１１に対して所定の嵌合角度で嵌合するようになっており、所定のリセプタクル端子２１が所定のタブ端子８に接続されるようになっている。
【００３５】
すなわち、ケース側コネクタ本体１１と電源側コネクタ本体２２とには、これらを嵌合させる際に、相対的な嵌合角度（嵌合方向に沿った軸廻りの角度）を一意的に定める誤接続防止構造２３（図１参照）が設けられており、コネクタ本体１１、２２同士を嵌合させると自動的に所定のリセプタクル端子２１が所定のタブ端子８に接続されるようになっている。これにより、リセプタクル端子２１とタブ端子８との誤接続を自動的に防止できる。
【００３６】
誤接続防止構造２３は、図２（ａ）及び（ｂ）に示すように、ケース側コネクタ本体１１のソケット部１１ｂの内周面に嵌合方向に沿って形成された凹凸部２３ａと、これに嵌合するように図３（ａ）及び（ｂ）に示すように電源側コネクタ本体２２の外周面に嵌合方向に沿って形成された凹凸部２３ｂとから主として構成される。これらの凹凸部２３ａ、２３ｂは、コネクタ本体１１、２２同士、すなわちコネクタ２、４同士の嵌合角度を一意的に定めるように形成されているわけである。また、図２（ａ）に示すように配置されたタブ端子８の三角配置と、図３（ｂ）に示すように配置されたリセプタクル端子２１の三角配置も、コネクタ２、４本体同士の嵌合角度を一意的に定める配置となっており、誤接続防止構造２３の一部を構成する。
【００３７】
電源側コネクタ４は、図３（ａ）に示すように、電源側コネクタ本体２２に装着された電源側金属筐体１３を有する。この金属筐体１３は、略Ｌ字形に形成され側部開口部１３ａと下部開口部１３ｂとを備えた金属製の筒体からなり、側部開口部１３ａに電源ケーブル３が挿入され、下部開口部１３ｂに電源側コネクタ本体２２が装着されるものである。かかるケーブル側金属筐体１３は、前述したケース側金属筐体１２と共同してその内部を電気的にシールドするものである。
【００３８】
電源側金属筐体１３と電源側コネクタ本体２２との間には、抜止機構２４が介設されている。抜止機構２４は、金属筐体１３の内周面に形成された段差部２４ａと、コネクタ本体２２の側部に形成された爪部２４ｂとからなり、爪部２４ｂが段差部２４ａに係合することで、コネクタ本体２２が金属筐体１３から下方へ抜けることを防止する。
【００３９】
ところで、上記側部開口部１３ａに挿入された給電ケーブル３は、図３（ａ）に示すように、その先端側の外皮２０及びシールド編組１９が所定長さ切り開かれ、シールド編組１９が外皮２０の外周部に沿って軸方向に折り返されている。この折り返されたシールド編組１９は、固定接地機構２５を介して外皮２０に固定されると共に金属筐体１３に電気的に接続されている。
【００４０】
固定接地機構２５は、折り返されたシールド編組１９の内側の外皮２０に装着された金属スリーブ２５ａと、折り返されたシールド編組１９の外側を囲むと共に金属筐体１３に接触するように形成された筒状金具２５ｂとを備え、筒状金具２５ｂを加締ることで、シールド編組１９を外皮２０に固定すると共に金属筐体１３に電気的に接続するものである。
【００４１】
詳しくは、筒状金具２５ｂは、上記金属スリーブ２５ａの外側にシールド編組１９を介して重合された加締部２５ｘと、加締部２５ｘに一体的に形成され金属筐体１３の内周面に当接する外径の拡径部２５ｙと、拡径部２５ｙに一体的に形成され径方向外方に延出されて金属筐体１３の側部開口部１３ａの端面に沿う形状のフランジ部２５ｚとから構成される。
【００４２】
加締部２５ｘは、シールド編組１９を当該加締部２５ｘと金属スリーブ２５ａとの間に挟み込んだ状態で加締められることで、シールド編組１９を外皮２０に固定するものである。拡径部２５ｙは、金属筐体１３の内周壁に接触することで、給電ケーブル３を金属筐体１３の内部に浮かせるようにして支持するものである。フランジ部２５ｚは、側部開口部１３ａの端面にフランジ状金具２６をボルト２７で固定するとき、この端面とフランジ状金具２６との間に挟まれて共締めされ、金属筐体１３と電気的に接続される。
【００４３】
かかる固定接地機構２５によれば、筒状金具２５ｂの加締部２５ｘ及び金属スリーブ２５ａによって、折り返されたシールド編組１９が外皮２０に固定されると共に、筒状金具２５ｂの拡径部２５ｙ及びフランジ部２５ｚによってシールド編組１９が金属筐体１３に電気的に接続される。このように、金属筐体１３と電源ケーブル３のシールド編組１９が電気的に接続されるので、これらが共同してその内方を電気的にシールドすることになる。
【００４４】
また、図３（ａ）に示すように、筒状金具２５ｂの拡径部２５ｙと電源ケーブル３との間には、ワイヤーシール２８が設けられている。ワイヤーシール２８は、電源ケーブル３と筒状金具２５ｂの間から浸入する水、油又は塵芥を防止するものである。また、筒状金具２５ｂの拡径部２５ｙと金属筐体１３の間には、ハウジングシール２９が設けられている。ハウジングシール２９は、筒状金具２５ｂと金属筐体１３の間から浸入する水、油又は塵芥を防止する機能を発揮する。
【００４５】
以上の構成からなる本実施形態の作用を述べる。
【００４６】
ケース内の電動機に外部電源を接続するときには、図１に示すように、ケースの上蓋１に装着されたケース側コネクタ２に、給電ケーブル３に装着された電源側コネクタ４を嵌合し、ボルト３０で固定する。
【００４７】
このように、コネクタ２、４同士を嵌合させることで、ケース側コネクタ２の所定のタブ端子８に電源側コネクタ４の所定のリセプタクル端子２１が接続されるため、外部電源を誤接続なく適切に接続することができる。すなわち、接続用の各端子８、２１が予め双方のコネクタ２、４に所定位置に所定向きでセットされているので、コネクタ２、４同士を嵌合させることで、短時間で容易に外部電源を適切に接続でき、各端子８、２１を別々に接続する手間が省ける。詳しくは、ケース側コネクタ２と電源側コネクタ４とは、誤接続防止構造２３によってコネクタ２、４同士の相対的な嵌合角度が一意的に定められているので、誤接続を完全に防止できる。
【００４８】
また、ケース側コネクタ２に電源側コネクタ４を嵌合させると、双方のコネクタ２、４の金属筐体１２、１３が接触し、金属筐体１２の上部開口部１２ｂと金属筐体１３の下部開口部１３ｂが合わせられ、これら金属筐体１２、１３によって各端子８、２１、リード線９及び信号線１８等のシールドされていない部分（ノイズが拡散し得る部分）が覆われるため、確実なシールド効果が得られる。すなわち、コネクタ２、４自体にシールド機能を有する金属筐体１２、１３が組み込まれているので、各端子８、２１同士を接続するためにコネクタ２、４同士を嵌合させると、自動的に各金属筐体１２、１３が接触してその内部がシールドされる。よって、別途シールド機能を有するシールド部材を取り付ける必要はなく、そのままの状態で使用することができ、作業の簡素化を図ることができる。また、シールド部材を取り付けることなくそのままの状態で使用できるので、接続部の小型化が可能となる。
【００４９】
ここで、本実施形態では、上記金属筐体１２は、図２（ｂ）に示すように、金属製のハーメチックプレート５を介して金属製の上蓋１及び密閉ケースと電気的に接続され、上記金属筐体１３は、図３（ａ）に示すように、金属製の固定接地機構２５を介して電源ケーブル３のシールド編組１９と電気的に接続されているため、図１に示すようにコネクタ２、４同士が嵌合されて金属筐体１２、１３同士が接続されると、電源ケーブル（シールドケーブル）３のシールド編組１９と金属筐体１３と金属筐体１２と上蓋１を含めた密閉ケースとが全て電気的に接続されて全体としてシールド効果を発揮し、それらの内部から外部に拡散しようとするノイズの拡散及び／又は外部から内部に侵入しようとするノイズの侵入を完全に防止することができる。なお、金属製のフランジ状金具２６もシールド効果を発揮する。
【００５０】
また、ケース側コネクタ２のコネクタ本体１１が各タブ端子８を内包するように形成され、電源側コネクタ４のコネクタ本体２２が各リセプタクル端子２１を内包するように形成されているので、密閉圧縮機を組み立てる際、各端子８、２１に直接外力が加わることを防止でき、端子８、２１の変形・破損を未然に防止できる。
【００５１】
また、図２（ｂ）に示すように、コネクタ２、４同士の間には、シール部材１７が設けられているので、外部からコネクタ２、４同士の間を通って内部に浸入しようとする水、油又は塵芥がシールされる。また、ケース側金属筐体１２とハーメチックプレート５との間には、シール部材１６が設けられているので、これらの間を通って浸入しようとする水、油又は塵芥がシールされる。また、図３（ａ）に示すように、電源側金属筐体１３と電源ケーブル３との間には、ワイヤーシール２８及びハウジングシール２９が設けられているので、これらの間を通って浸入しようとする水、油又は塵芥がシールされる。よって、完全な防水効果が得られる。
【００５２】
本発明の別の実施形態を図４及び図５に示す。
【００５３】
図４は、ケース側コネクタ２の変形例を示すものであり、ハーメチックタクト６をハーメチックプレート５にガラスシール７を介して取り付けるときに、その取付位置を精度よく設定できる場合に適用されるものである。この実施形態では、ハーメチックタクト６に直接タブ端子８を溶接等によって取り付けており、タクト６とタブ端子８との間に、タクト６の取付位置のずれを吸収するためのリード線９（図２（ｂ）参照）を介設していない。その他の構成は前実施形態と同様の構成となっているため説明を省略するが、前実施形態と同様の作用効果を奏することは勿論である。
【００５４】
図５に示すものも、ケース側コネクタ２の変形例であり、ハーメチックタクト６の取付位置を精度よく設定できる場合に適用されるものである。この実施形態は、ハーメチックプレート５に取り付けられたハーメチックタクト６にタブ端子８を接続した後に、コネクタ本体１１を一体的にモールド成形したものである。これにより、部品点数及び組立工数を削減することができる。このモールド成形は、例えば、ハーメチックプレート５に金属筐体１２を装着し、金属筐体１２にタブ端子８を支持する型を装着し、この型の内方の金属筐体１２の内部に樹脂を注入すること等で成形される。その他の構成は前実施形態と同様の構成となっているため、前実施形態と同様の作用効果を奏する。
【００５５】
なお、本発明は、上記各実施形態に限定されるものではない。たとえば、ケース側コネクタ本体１１をオス型コネクタではなくメス型コネクタとし、電源側コネクタ本体２２をメス型コネクタではなくオス型コネクタとしてもよい。また、ケース側コネクタ本体１１にセットされる端子８をタブ端子（オス型端子）ではなくリセプタクル端子（メス型端子）としてもよく、電源側コネクタ本体２２にセットされる端子２１をリセプタクル端子ではなくタブ端子としてもよい。また、本発明は、密閉式電動圧縮機の電動機を外部電源と接続するものに限られず、ケース内の電気機器を外部電源にシールしつつ接続するものであれば適用できる。例えば、開放型のベルトコンプレッサにも本発明を適用することは可能である。
【図面の簡単な説明】
【００５６】
【図１】本発明の好適実施形態に係るケース用の電源接続具の斜視図である。
【図２】上記電源接続具を構成するケース側コネクタを示す説明図であり、（ａ）は平面図、（ｂ）は（ａ）のIIｂ−IIｂ線断面図である。
【図３】上記電源接続具を構成する電源側コネクタを示す説明図であり、（ａ）は側断面図、（ｂ）は（ａ）のIIIｂ−IIIｂ線矢視図である。
【図４】本発明の変形実施形態を示すケース側コネクタの側断面図である。
【図５】本発明の別の変形実施形態を示すケース側コネクタの側断面図である。
【図６】従来例を示す説明図である。
【符号の説明】
【００５７】
１  ケースの上蓋
２  ケース側コネクタ
３  外部電源に接続された電源ケーブル
４  電源側コネクタ
６  ハーメチックタクト
８  端子（タブ端子）
１２  筐体
１３  筐体
１７  シール部材
２１  端子（リセプタクル端子）
２３  誤接続防止機構
【図１】
2005327557.tif 000003
【図２】
2005327557.tif 000004
【図３】
2005327557.tif 000005
【図４】
2005327557.tif 000006
【図５】
2005327557.tif 000007
【図６】
2005327557.tif 000008